(57)【要約】【課題】カートリッジを備える水路形成機構において、カートリッジの着脱を容易とする。【解決手段】水路形成機構５４は、浴室壁部に固定される下側ブラケット５２と、下側ブラケット５２に着脱可能に構成された、カートリッジ６２を収容するためのケーシング６４とを備える。下側ブラケット５２は、当該下側ブラケット５２に対するケーシング６４の相対回転を阻止する回転阻止部９６と、押込操作によって相対回転の阻止を解除する取外し用ボタン８４とを備える。取外し用ボタン８４を押し込みながら、下側ブラケット５２に対してケーシング６４を所定の角度回転させることで、下側ブラケット５２からケーシング６４を取り外すことができる。【選択図】図８
2020033843.tif 000002
【特許請求の範囲】
【請求項１】
所定の位置に固定される本体部と、前記本体部に着脱可能に構成された、カートリッジを収容するためのケーシングと、を備える水路形成機構であって、
前記本体部は、当該本体部に対する前記ケーシングの相対回転を阻止する回転阻止部と、押込操作によって前記相対回転の阻止を解除する取外し用ボタンと、を備え、
前記取外し用ボタンを押し込みながら、前記本体部に対して前記ケーシングを第１の方向に所定の角度回転させることで、前記本体部から前記ケーシングを取り外すことができることを特徴とする水路形成機構。
【請求項２】
前記取外し用ボタンの押込操作を行うことなく、前記本体部に対して前記ケーシングを前記第１の方向と反対の第２の方向に所定の角度回転させることで、前記本体部に対して前記ケーシングを取り付けることができることを特徴とする請求項１に記載の水路形成機構。
【請求項３】
前記本体部は、浴室壁部に固定されることを特徴とする請求項１または２に記載の水路形成機構。
【請求項４】
前記ケーシングの回転範囲に当該水路形成機構に接続されるホースが位置しないよう、前記ケーシングの回転範囲が設定されることを特徴とする請求項１から３のいずれかに記載の水路形成機構。
【発明の詳細な説明】
【技術分野】
【０００１】
本発明は、水路形成機構に関する。
【背景技術】
【０００２】
シャワーヘッド等の吐水装置に供給される水の浄化を目的として、吐水装置に給水するための給水路に浄水カートリッジを組み込む場合がある。たとえば、特許文献１には、シャワーフックがスライド可能なスライドバーの内部に浄水カートリッジを組み込んだ給湯水装置が開示されている。
【先行技術文献】
【特許文献】
【０００３】
【特許文献１】特開２００３−１７４９７７号公報
【発明の概要】
【発明が解決しようとする課題】
【０００４】
本発明者は、カートリッジをスライドバー等の浴室用機能部品に組み付けることを検討している。本発明者は、このような検討の過程で、カートリッジを交換する際の作業性という観点から、特許文献１の開示技術に関して改良の余地があるとの認識を得た。
【０００５】
本発明は、このような課題に鑑みてなされ、その目的は、カートリッジを備える水路形成機構において、カートリッジの取り外しを容易とする技術を提供することにある。
【課題を解決するための手段】
【０００６】
上記課題を解決するために、本発明のある態様の水路形成機構は、所定の位置に固定される本体部と、本体部に着脱可能に構成された、カートリッジを収容するためのケーシングと、を備える。本体部は、当該本体部に対するケーシングの相対回転を阻止する回転阻止部と、押込操作によって相対回転の阻止を解除する取外し用ボタンとを備える。取外し用ボタンを押し込みながら、本体部に対してケーシングを第１の方向に所定の角度回転させることで、本体部からケーシングを取り外すことができる。
【発明の効果】
【０００７】
本発明によれば、カートリッジを備える水路形成機構において、カートリッジの取り外しを容易とする技術を提供できる。
【図面の簡単な説明】
【０００８】
【図１】本実施形態に係る水路形成機構を有する浴室ユニットを示す斜視図である。
【図２】水路形成機構が用いられる機能ユニットの水路を示す構成図である。
【図３】機能ユニットを周辺構造とともに示す正面図である。
【図４】機能ユニットの側面図である。
【図５】水路形成機構の側面図である。
【図６】弁機構が開いた状態を示す、水路形成機構を模式的に示す側面断面図である。
【図７】弁機構が閉じた状態を示す、水路形成機構を模式的に示す側面断面図である。
【図８】水路形成機構において、下側ブラケットからケーシングを取り外した状態を示す図である。
【図９】下側ブラケットの正面図である。
【図１０】下側ブラケットの側面図である。
【図１１】下側ブラケットにケーシングを取り付けた状態を説明するための図である。
【図１２】図１２（ａ）〜（ｄ）は、本実施形態に係る水路形成機構におけるカートリッジの取り外し方法を説明するための図である。
【図１３】下側ブラケットにケーシングが取り付けられた状態における中心軸に垂直な概略断面図である。
【図１４】下側ブラケットからケーシングを取り外し中の状態における中心軸に垂直な概略断面図である。
【発明を実施するための形態】
【０００９】
以下の実施形態では、同一または同等の構成要素、部材には、同一の符号を付するものとし、適宜重複した説明は省略する。また、各図面における部材の寸法は、理解を容易にするために適宜拡大、縮小して示される。また、各図面において実施形態を説明する上で重要ではない部材の一部は省略して表示する。
【００１０】
図１は、本実施形態に係る水路形成機構５４を有する浴室ユニット１０を示す斜視図である。浴室ユニット１０は、浴槽１２と、浴槽１２に隣り合う位置に設けられる洗い場床１４と、浴室空間を内部に画定する複数の浴室壁部１６とを備える。浴室ユニット１０は、この他にも、浴室空間に配置される水栓装置１８、吐水装置２０、一次側ホース２２、二次側ホース２４及び機能ユニット２６を備える。
【００１１】
図２は、水路形成機構５４が用いられる機能ユニット２６の水路を示す構成図である。機能ユニット２６の水路は、水栓装置１８から吐水装置２０に至る給水路２８を含む。給水路２８の途中には水路形成機構５４のカートリッジ６２および弁機構５８が設けられる。カートリッジ６２は、一次側周面部６６に供給された原水を改質して二次側内部水路６８に供給する。給水路２８は、機能ユニット２６に設けられる一次側通水路３０、二次側通水路３２および原水通水路３４を有する。原水通水路３４には、一次側通水路３０を介して一次側ホース２２から原水Ｌｂが供給される。弁機構５８が開状態のときは、原水通水路３４の原水Ｌｂは、弁機構５８および二次側通水路３２を介して二次側ホース２４に供給水Ｌｃとして供給される。弁機構５８が閉状態のときは、原水通水路３４の原水Ｌｂは、カートリッジ６２によって改質水Ｌａに改質され、二次側通水路３２を介して二次側ホース２４に供給水Ｌｃとして供給される。
【００１２】
図３は、機能ユニット２６を周辺構造とともに示す正面図である。水栓装置１８は、入浴者による流量操作部１８ａに対する操作を通じて、給水路２８（図２参照）に供給される水の流量を調整可能である。本実施形態の水栓装置１８は、入浴者による温度操作部１８ｂに対する操作を通じて、給水路２８に供給される水の温度も調整可能である。
【００１３】
吐水装置２０は、給水路２８から供給される水を吐き出すためのものである。本実施形態の吐水装置２０は、浴室壁部１６に対して可動であるシャワーヘッドであるが、カラン等でもよい。本実施形態の吐水装置２０は、後述するスライドバー３６に支持されるシャワーフック４０に着け外し可能に設けられる。
【００１４】
一次側ホース２２や二次側ホース２４は可撓性がある。一次側ホース２２は水栓装置１８と機能ユニット２６を接続し、二次側ホース２４は機能ユニット２６と吐水装置２０を接続する。
【００１５】
機能ユニット２６は、主に、浴室用のスライドバー３６と、シャワーフック４０と、水路形成機構５４とを備える。スライドバー３６は、シャワーフック４０や入浴者の荷重を受けるとともにシャワーフック４０をスライド可能に支持する。スライドバー３６は、水栓装置１８から分離している。なお、本実施形態では、機能ユニット２６は、スライドバー３６やシャワーフック４０などの浴室用機能部材を備えているが、他の実施形態では、機能ユニット２６は、スライドバーやシャワーフック以外の浴室用の機能部材を備えてもよい。さらに他の実施形態では、機能ユニット２６は、浴室用機能部材を備えていなくてもよい。
【００１６】
図４は、機能ユニット２６の側面図である。スライドバー３６は、鉛直方向に沿って延在するバー部材４２と、バー部材４２の上端部を浴室壁部１６に固定する上側ブラケット５０と、バー部材４２の下端部を浴室壁部１６に固定する下側ブラケット５２とを備える。
【００１７】
図５は、水路形成機構５４の側面図である。本実施形態において、水路形成機構５４は、スライドバー３６と一体化される。図６は、水路形成機構５４を模式的に示す側面断面図であり、弁機構５８が開いた状態を示している。図７は、水路形成機構５４を模式的に示す別の側面断面図であり、弁機構５８が閉じた状態を示している。以下、便宜的に浴室壁部１６の法線方向を方向Ｐと表記し、鉛直方向を方向Ｑと表記する。本実施形態では、方向Ｐおよび方向Ｑは互いに直交する。なお、方向Ｐおよび方向Ｑと直交する方向を左右方向と呼ぶこともある。
【００１８】
水路形成機構５４は、上流側からの原水と、原水から改質した改質水とを切替えて下流側の二次側通水路３２に供給可能な機構である。本実施形態の水路形成機構５４は、水栓装置１８からの原水を改質して改質水を生成し、操作部材６０の操作に応じて、吐水装置２０に原水と改質水とを切替えて供給可能に構成される。水路形成機構５４は、改質ユニット３８と、切替機構５６とを含む。水路形成機構５４は、下側ブラケット５２に形成される二次側通水路３２と、改質ユニット３８に形成される一次側通水路３０および原水通水路３４とを含む。水路形成機構５４は、一次側ホース２２が接続される第１ホース接続部５４ａと、二次側ホース２４が接続される第２ホース接続部５４ｂとを有する。本実施形態の第２ホース接続部５４ｂは下側ブラケット５２の側面部に設けられる。
【００１９】
図５に示すように、改質ユニット３８は、カートリッジ６２と、ケーシング６４とを有する。本実施形態の改質ユニット３８は、スライドバー３６から突出するようにケーシング６４が設けられる。図５に示すよう、ケーシング６４は、方向Ｑに突出している。本実施形態のケーシング６４は、方向Ｑに直交する断面の外形輪郭が楕円または長円である楕円柱状の部材である。ケーシング６４には、カートリッジ６２を収容するための収容部６４ｓが設けられる。ケーシング６４は、浴室空間に露出する改質ユニット３８の最外表面を形成し、カートリッジ６２を保護する。収容部６４ｓは、方向Ｑに延びる略円筒状の内部空間を包囲し、基端側が開放され、先端部が閉塞されている。
【００２０】
ケーシング６４の収容部６４ｓの内部空間は、原水通水路３４を兼ねている。つまり、収容部６４ｓの内部空間は、カートリッジ６２を収容した状態で、カートリッジ６２の周囲に原水通水路３４を構成する。本実施形態では、第１ホース接続部５４ａは、ケーシング６４の下部に設けられ、一次側通水路３０は、ケーシング６４の下部の背面側に形成された開口を通じて収容部６４ｓの内部空間と連通する。ケーシング６４は、下側ブラケット５２の下部に着脱可能に構成されている。ケーシング６４は、下側ブラケット５２から外された状態で、収容部６４ｓの基端側の開口部６４ａからカートリッジ６２を出し入れ可能に構成されている。ケーシング６４の開口部６４ａは上向きに開いている。カートリッジ６２は、ケーシング６４の収容部６４ｓに嵌め込まれている。
【００２１】
切替機構５６は、水路形成機構５４に組み込まれる。切替機構５６は、二次側通水路３２に供給される供給水Ｌｃを、原水Ｌｂと改質水Ｌａとの何れかに切り替えるためのものである。本実施形態の切替機構５６は、操作部材６０の操作に応じて、弁機構５８を開閉することにより、供給水Ｌｃを切り替えるように構成されている。図６に、弁機構５８が開いたときの原水Ｌｂ、改質水Ｌａおよび供給水Ｌｃの経路を示す。図７に、弁機構５８が閉じたときの原水Ｌｂ、改質水Ｌａおよび供給水Ｌｃの経路を示す。
【００２２】
本実施形態の切替機構５６は、弁機構５８と、操作部材６０と、従動部材５６ｄと、カートリッジ６２と、付勢部材Ｓｐと、を有する。
【００２３】
カートリッジ６２は、改質部６２ｅと、第１キャップ部材６２ａと、第２キャップ部材６２ｂとを含む。改質部６２ｅは、方向Ｑに延びる中空部６２ｊを有する円筒形状の部材であり、原水を改質して改質水を生成する。改質部６２ｅは、活性炭、中空糸膜、亜硫酸カルシウム、アスコルビン酸等の原水を浄化可能な素材を用いて構成されてよい。一次側周面部６６は、改質部６２ｅの外周面に設けられ、二次側内部水路６８は、改質部６２ｅの中空部６２ｊに設けられる。中空部６２ｊは、第１キャップ部材６２ａの内部水路と連通する。第１キャップ部材６２ａは、改質部６２ｅの上端面を覆うキャップ状の部材である。後述するように、第１キャップ部材６２ａの頂部は、従動部材５６ｄの下端部と当接し、頂部に伝達された力をカートリッジ６２に伝達する。第２キャップ部材６２ｂは、改質部６２ｅの下端面を覆うキャップ状の部材である。
【００２４】
弁機構５８は、原水通水路３４と二次側通水路３２の間に介在して、操作部材６０の操作に応じて開閉される開閉弁である。図６に示すように、弁機構５８が開状態のとき、原水Ｌｂの流通が許容される。一方、図７に示すように、弁機構５８が閉状態のとき、原水Ｌｂの流通は遮断される。
【００２５】
操作部材６０は、ユーザによって操作力が入力され、操作されることによりカートリッジ６２を移動可能な部材である。本実施形態では、操作部材６０は、浴室壁部１６に向かう方向Ｐの操作力が入力される押しボタンである。従動部材５６ｄは、方向Ｑに延びる棒状の部材で、その上端部は操作部材６０とカム機構により連結されており、下端部はカートリッジ６２の第１キャップ部材６２ａの頂部に当接している。操作部材６０が方向Ｐに押し込まれると、カム機構により従動部材５６ｄが下向きに移動し、これによりカートリッジ６２に下向きの駆動力が付与される。
【００２６】
付勢部材Ｓｐは、カートリッジ６２を付勢して開閉弁を閉止可能な部材である。本実施形態の付勢部材Ｓｐは、カートリッジ６２の弁機構５８とは反対側に配置され、カートリッジ６２を弁機構５８側に向かって付勢する。付勢部材Ｓｐは、ケーシング６４の収納底部６４ｃに収容され、カートリッジ６２の第２キャップ部材６２ｂに反発力を加えるコイルスプリングである。図６に示すように、付勢部材Ｓｐは、カートリッジ６２にケーシング６４の収納底部６４ｃから遠ざかる方向Ｑ（図６中で上向き）の付勢力を付与する。
【００２７】
図６は、操作部材６０が方向Ｐに押込まれた状態を示している。この状態では、従動部材ｄを介してカートリッジ６２に下向きの駆動力が入力される。駆動力が付勢部材Ｓｐの反発力（付勢力）を超えると、カートリッジ６２は下向きに移動し、これにより弁機構５８が開かれ、原水Ｌｂが供給水Ｌｃとして二次側ホース２４に流れ、吐水装置２０から吐水される。
【００２８】
図７は、操作部材６０が押出された状態を示している。この状態では、カートリッジ６２に駆動力が入力されず、付勢部材Ｓｐの反発力（付勢力）によりカートリッジ６２は上向きに移動し、これにより弁機構５８が閉じられ、原水Ｌｂの流通は遮断される。その結果、二次側内部水路６８を通る改質水Ｌａが供給水Ｌｃとして二次側ホース２４に流れ、吐水装置２０から吐水される。
【００２９】
次に、浴室壁部１６に固定された下側ブラケット５２に対してケーシング６４を着脱するための機構について説明する。図８は、水路形成機構５４において、下側ブラケット５２からケーシング６４を取り外した状態を示す。図８は、下側ブラケット５２の内部構造を示すために、下側ブラケット５２の最外表面を形成する下側ブラケットカバー５２ａ（図５参照）が取り外された状態を示す。
【００３０】
ケーシング６４は、ケーシング本体部６５と、ケーシング本体部６５を覆うケーシングカバー６７とを有する。ケーシング本体部６５には筒状の収容部６４ｓが設けられており、該収容部６４ｓにはカートリッジ６２が収容される。カートリッジ６２は、収容部６４ｓの開口部６４ａから出し入れ可能である。
【００３１】
図９は、下側ブラケット５２の正面図である。図１０は、下側ブラケット５２の側面図である。図９、図１０は、下側ブラケット５２の内部構造を示すために、下側ブラケットカバー５２ａ（図５参照）が取り外された状態を示す。
【００３２】
図８〜図１０に示すように、下側ブラケット５２は、ブラケット本体部８０と、切替機構本体部８２と、上述の操作部材６０とを備える。
【００３３】
切替機構本体部８２は、上述の切替機構５６の本体部であり、ブラケット本体部８０により支持されている。切替機構本体部８２は、概略筒形状を有し、その中心軸は、カートリッジ６２の中心軸と同心となる。また、切替機構本体部８２の下端部には、カートリッジ６２の第１キャップ部材６２ａが挿入されるカートリッジ接続部８２ａが設けられている。
【００３４】
切替機構本体部８２の下端部には、外側に向かって突出した４つの突出部８６（８６ａ〜８６ｄ）が設けられている。４つの突出部８６は、切替機構本体部８２の中心軸Ｃ周りに９０度間隔で配置されている。より詳細には、切替機構本体部８２の正面に突出部８６ａが配置されており、切替機構本体部８２の右側面に突出部８６ｂが配置されており、切替機構本体部８２の背面に突出部８６ｃが配置されており、切替機構本体部８２の左側面に突出部８６ｄが配置されている。
【００３５】
一方、ケーシング本体部６５の収容部６４ｓの内周縁には、図８に示すように、４つの切欠部６３（６３ａ〜６３ｄ）が形成されている。これら４つの切欠部６３は、切替機構本体部８２の４つの突出部８６（８６ａ〜８６ｄ）に対応しており、カートリッジ６２の中心軸（言い換えると、筒状の収容部６４ｓの中心軸）周りに９０度間隔で配置されている。なお、切欠部の数は４つに限定されず、２つ以上の切欠部があればよい。
【００３６】
図１１は、下側ブラケット５２にケーシング６４を取り付けた状態を説明するための図である。図１１では、説明のために、下側ブラケットカバー５２ａを取り外している。また、ケーシングカバー６７を取り外し、ケーシング本体部６５が露出するようにしている。
【００３７】
図１１に示すように、ケーシング本体部６５には、４つの突出部８６に対応する長孔６９が形成されている。下側ブラケット５２にケーシング６４を取り付ける際には、まず切替機構本体部８２の突出部８６に対応するケーシング６４の切欠部６３を位置合わせして嵌合し、カートリッジ６２の第１キャップ部材６２ａを切替機構本体部８２のカートリッジ接続部８２ａ内に挿入する。その後、下側ブラケット５２に対してケーシング６４を中心軸Ｃ周りに所定の角度回転させる。これにより、切替機構本体部８２の突出部８６が対応するケーシング本体部６５の長孔６９に嵌まり、ケーシング６４を下側ブラケット５２に取り付けることができる。なお、本実施形態では、ケーシング６４の回転軸である中心軸Ｃは、ケーシング６４の中心から偏心した位置にある。
【００３８】
図８〜図１１に示すように、本実施形態の下側ブラケット５２はさらに、回転規制ユニット９０を備える。この回転規制ユニット９０は、切替機構本体部８２に取り付けられる。回転規制ユニット９０は、取外し用ボタン８４と、ガイド部９２と、板ばね９４と、回転阻止部９６とを備える。
【００３９】
取外し用ボタン８４は、円筒形状のボタンであり、ガイド部９２に設けられた孔に挿入され、支持されている。取外し用ボタン８４は、図５に示すように、下側ブラケット５２から外部に露出している。本実施形態では、取外し用ボタン８４の配置位置は下側ブラケット５２正面の、操作部材６０の下方である。ガイド部９２は、取外し用ボタン８４を支持するとともに、取外し用ボタン８４の方向Ｐ（図１０参照）の移動をガイドするための部材であり、切替機構本体部８２に固定される。板ばね９４は、切替機構本体部８２に固定され、取外し用ボタン８４に対し、切替機構本体部８２から遠ざかる方向Ｐの付勢力を付与する。回転阻止部９６は、取外し用ボタン８４と一体に形成された部材であり、板状体から凸部が突出した形状を有する。上記のように回転阻止部９６は取外し用ボタン８４と一体に形成されているため、取外し用ボタン８４が押し込まれると、切替機構本体部８２に近づく方向Ｐに移動する。一方、取外し用ボタン８４の押し込みが解除されると、板ばね９４の付勢力により、切替機構本体部８２から遠ざかる方向Ｐに移動する。
【００４０】
回転阻止部９６は、その凸部が突出部８６ａの上方に位置するように配置されている。図９に示すように、回転阻止部９６の凸部の幅は、突出部８６ａの幅よりも狭くなっている。また、図１０に示すように、取外し用ボタン８４が押し込まれていない状態での回転阻止部９６の凸部のＰ方向の高さは、突出部８６ａの高さと略同じである。下側ブラケット５２にケーシング６４を取り付けるとき、回転阻止部９６は、突出部８６ａとともに、ケーシング本体部６５に形成された切欠部６３ａに位置合わせされ、嵌合される。
【００４１】
図１１に示すように、本実施形態のケーシング本体部６５には、切欠部６３ａに隣接した位置に、回転阻止部用切欠部９８が形成されている。そして、切欠部６３ａと回転阻止部用切欠部９８との間には、斜面部９９が形成されている。この斜面部９９は、切欠部６３ａの底部から回転阻止部用切欠部９８の端部にかけて延在している。
【００４２】
図１２（ａ）〜（ｄ）は、本実施形態に係る水路形成機構５４におけるカートリッジの取り外し方法を説明するための図である。
【００４３】
図１２（ａ）は、下側ブラケット５２にケーシング６４が取り付けられた状態を示す。図１３は、下側ブラケット５２にケーシング６４が取り付けられた状態における中心軸Ｃに垂直な概略断面図である。この状態では、下側ブラケット５２の下側ブラケットカバー５２ａとケーシング６４のケーシングカバー６７は略面一となっており、意匠的にスライドバー３６と水路形成機構５４とが一体化された見栄えのよい機能ユニット２６が実現されている。
【００４４】
下側ブラケット５２にケーシング６４が取り付けられた状態では、上述したように、切替機構本体部８２の突出部８６が対応するケーシング本体部６５の長孔６９に嵌められている。また、この状態では、図１１、図１３に示すように、回転阻止部９６の凸部がケーシング本体部６５の回転阻止部用切欠部９８に嵌合されている。これにより、下側ブラケット５２に対するケーシング６４の相対回転が阻止されるので、切替機構本体部８２の突出部８６がケーシング本体部６５の長孔６９から外れる事態を防止できる。
【００４５】
図１２（ｂ）は、下側ブラケット５２からケーシング６４を取り外し中の状態を示す。図１４は、下側ブラケット５２からケーシング６４を取り外し中の状態における中心軸Ｃに垂直な概略断面図である。
【００４６】
下側ブラケット５２からケーシング６４を取り外す際には、取外し用ボタン８４を押し込みながら、ケーシング６４を中心軸Ｃを中心として上面視で時計回りに所定の角度（例えば３０°）回転させる。取外し用ボタン８４が押し込まれると、取外し用ボタン８４と一体に形成された回転阻止部９６も切替機構本体部８２側に移動する。これにより、回転阻止部９６の凸部が回転阻止部用切欠部９８から外れるので、ケーシング６４は中心軸Ｃ周りに回転可能となる。ケーシング６４が下側ブラケット５２に対して所定角度回転され、取外し用ボタン８４の押し込みが解除されると、回転阻止部９６の凸部は、板ばね９４の付勢力により、切欠部６３ａに嵌合した状態となる。
【００４７】
図１２（ｃ）は、下側ブラケット５２からケーシング６４を取り外した状態を示す。下側ブラケット５２に対して中心軸Ｃ周りにケーシング６４を所定角度回転したとき、突出部８６は対応する切欠部６３と嵌合した状態となっている。したがって、ケーシング６４を下方に移動させることにより、切欠部６３から突出部８６が外れ、下側ブラケット５２からケーシング６４を取り外すことができる。
【００４８】
図１２（ｄ）は、ケーシング６４からカートリッジ６２を取り外し中の状態を示す。図１２（ｄ）に示すように、ケーシング６４の収容部６４ｓからカートリッジ６２を引き出すことにより、カートリッジ６２を取り外すことができる。
【００４９】
以上説明したように、本実施形態に係る水路形成機構５４においては、取外し用ボタン８４を押し込みながらケーシング６４を中心軸Ｃ周りに所定角度回転させるという簡単な作業で、下側ブラケット５２からケーシング６４を取り外すことができ、取り外したケーシング６４からカートリッジ６２を取り出すことができる。
【００５０】
ケーシング６４を下側ブラケット５２に取り付ける際には、上述したように、まず切替機構本体部８２の突出部８６に対応するケーシング６４の切欠部６３を位置合わせして嵌合する。このとき、ケーシング６４は下側ブラケット５２に対して中心軸周りに所定角度回転した位置にある。次に、ケーシング６４を上方に移動し、カートリッジ６２の第１キャップ部材６２ａを切替機構本体部８２のカートリッジ接続部８２ａ内に挿入する。このとき、回転阻止部９６の凸部は、板ばね９４の付勢力により、切欠部６３ａに嵌合した状態となっている（図１４参照）。その後、下側ブラケット５２に対してケーシング６４を中心軸Ｃを中心として反時計回りに所定の角度回転させる。これにより、切替機構本体部８２の突出部８６が対応するケーシング本体部６５の長孔６９に嵌まる。また、回転阻止部９６の凸部は、板ばね９４の付勢力により、斜面部９９に沿って滑り、斜面部９９を上りきったところで、回転阻止部用切欠部９８に落ち込み、嵌合状態となる。これにより、下側ブラケット５２に対するケーシング６４の相対回転が阻止されるので、下側ブラケット５２にケーシング６４を確実に取り付けることができる。
【００５１】
ここで、本実施形態においては、下側ブラケット５２にケーシング６４を取り付ける際には、下側ブラケット５２に対してケーシング６４を所定の位置にセッティングした後、ケーシング６４を反時計回りに相対回転させるだけでよく、取外し用ボタン８４を操作する必要がないことに留意されたい。これは、切欠部６３ａと回転阻止部用切欠部９８との間に、切欠部６３ａの底部から延びる斜面部９９が形成されていることに起因する。仮に斜面部９９が形成されていない場合には、切欠部６３ａから回転阻止部９６の凸部を外すために、取外し用ボタン８４を押し込む必要がある。このように、本実施形態の水路形成機構５４では、下側ブラケット５２にケーシング６４を取り付ける際には、取外し用ボタン８４を操作する必要がないので、取付作業性を向上することができる。
【００５２】
図１３および図１４に示すように、回転阻止部９６の凸部は、第１側面９６ａおよび第２側面９６ｂの２つの側面を有する。第１側面９６ａは正面視において凸部の左側面であり、第２側面９６ｂは正面視において凸部の右側面である（図９参照）。図１４に示すように、回転阻止部９６が切欠部６３ａに嵌合しているとき、第１側面９６ａは斜面部９９に面している。ここで、本実施形態においては、第１側面９６ａと第２側面９６ｂの傾斜角度が異なっている。すなわち、斜面部９９に面する第１側面９６ａは、凸部の突出方向に対して５°の角度で傾斜している。一方、第１側面９６ａと反対側の第２側面９６ｂは、凸部の突出方向に対して０．５°の角度で傾斜している。このように構成した場合、図１３に示すように回転阻止部９６の凸部が回転阻止部用切欠部９８に嵌合しているときには、第２側面９６ｂの傾斜角度が０．５°とされていることにより、取外し用ボタン８４が押込操作されない限り、凸部を回転阻止部用切欠部９８から外れ難くできる。また、回転阻止部９６の凸部が斜面部９９に沿って滑るときには、第１側面９６ａの傾斜角度が５°とされていることにより、凸部の移動を滑らかにすることができる。
【００５３】
以上説明したように、本実施形態に係る水路形成機構５４によれば、カートリッジ６２の着脱を容易に行うことができる。
【００５４】
本実施形態では、下側ブラケット５２に対するケーシング６４の回転範囲は、正面視で水路形成機構５４の右側である。一方、二次側ホース２４は、正面視で水路形成機構５４の左側に設けられている。すなわち、二次側ホース２４はケーシング６４の回転範囲に位置しておらず、ケーシング６４を回転させる際に二次側ホース２４が邪魔になることはない。このように、ケーシング６４の回転範囲に水路形成機構５４に接続されるホースが位置しないようにケーシング６４の回転範囲を設定することで、下側ブラケット５２に対するケーシング６４の着脱作業性を向上することができる。
【００５５】
別の実施形態では、ケーシング６４の回転範囲と同じ側、すなわち正面視で水路形成機構５４の右側に二次側ホース２４が設けられている場合がある。この場合も、二次側ホース２４をケーシング６４の回転範囲から若干離して配置するなどの方法により、ケーシング６４の回転範囲に二次側ホース２４が位置しないようにすることが望ましい。
【００５６】
以上、本発明の実施形態の例について詳細に説明した。前述した実施形態は、いずれも本発明を実施するにあたっての具体例を示したものにすぎない。実施形態の内容は、本発明の技術的範囲を限定するものではなく、請求の範囲に規定された発明の思想を逸脱しない範囲において、構成要素の変更、追加、削除等の多くの設計変更が可能である。前述の実施形態では、このような設計変更が可能な内容に関して、「実施形態の」「実施形態では」等との表記を付して強調しているが、そのような表記のない内容でも設計変更が許容される。また、図面の断面に付したハッチングは、ハッチングを付した対象の材質を限定するものではない。
【００５７】
以上の実施形態により具体化される発明を一般化すると、以下の技術的思想が導かれる。
【００５８】
本発明のある態様は、所定の位置に固定される本体部と、本体部に着脱可能に構成された、カートリッジを収容するためのケーシングと、を備える水路形成機構である。本体部は、当該本体部に対するケーシングの相対回転を阻止する回転阻止部と、押込操作によって相対回転の阻止を解除する取外し用ボタンと、を備える。取外し用ボタンを押し込みながら、本体部に対してケーシングを第１の方向に所定の角度回転させることで、本体部からケーシングを取り外すことができる。
【００５９】
この態様によると、簡易な作業でカートリッジを収容するためのケーシングを水路形成機構から取り外すことができる。
【００６０】
取外し用ボタンの押込操作を行うことなく、本体部に対してケーシングを第１の方向と反対の第２の方向に所定の角度回転させることで、本体部に対してケーシングを取り付けることができる。この場合、簡易な作業でカートリッジを収容するためのケーシングを水路形成機構に取り付けることができる。
【００６１】
本体部は、浴室壁部に固定されてもよい。この場合、浴室に設けられる水路形成機構において、簡易な作業でカートリッジを収容するためのケーシングを水路形成機構から取り外すことができる。
【００６２】
ケーシングの回転範囲に当該水路形成機構に接続されるホースが位置しないよう、ケーシングの回転範囲が設定されてもよい。この場合、本体部に対するケーシングの着脱作業性を向上することができる。
【符号の説明】
【００６３】
１０  浴室ユニット、  １６  浴室壁部、  １８  水栓装置、  ２０  吐水装置、  ２２  一次側ホース、  ２４  二次側ホース、  ２６  機能ユニット、  ３６  スライドバー、  ３８  改質ユニット、  ４０  シャワーフック、  ４２  バー部材、  ５０  上側ブラケット、  ５２  下側ブラケット、  ５４  水路形成機構、  ５６  切替機構、  ５８  弁機構、  ６０  操作部材、  ６２  カートリッジ、  ６３  切欠部、  ６４  ケーシング、  ６５  ケーシング本体部、  ６９  長孔、  ８０  ブラケット本体部、  ８２  切替機構本体部、  ８４  用ボタン、  ８６  突出部、  ９０  回転規制ユニット、  ９２  ガイド部、  ９６  回転阻止部、  ９８  回転阻止部用切欠部、  ９９  斜面部。
【図１】
2020033843.tif 000003
【図２】
2020033843.tif 000004
【図３】
2020033843.tif 000005
【図４】
2020033843.tif 000006
【図５】
2020033843.tif 000007
【図６】
2020033843.tif 000008
【図７】
2020033843.tif 000009
【図８】
2020033843.tif 000010
【図９】
2020033843.tif 000011
【図１０】
2020033843.tif 000012
【図１１】
2020033843.tif 000013
【図１２】
2020033843.tif 000014
【図１３】
2020033843.tif 000015
【図１４】
2020033843.tif 000016